(57)【要約】【課題】土壌厚を薄くしても植物の根の張りが良好になって、強風による倒木や飛散が防止できて植物の安定が図れ、また降雨水などを貯水して給水時間を大幅に延伸することができる屋上の緑化工法を提供する。【解決手段】ビルの屋上緑化範囲のスラブ１上に区画用の縁部材２を並べて、このスラブ上及び縁部材の起立内側面に防水、防根シート３を張設したのち、この防水、防根シート上に貯水部形成用の軽量骨材４を敷き、次いでこの軽量骨材の上に透水経路を有する軽量コンクリート製透水板６を敷き並べたのち、この透水板の上に軽量人工土壌９を敷き詰めて適宜の植物を植栽したことを特徴とする屋上の緑化工法。【選択図】　　図２
2004129507.tif 000002
【特許請求の範囲】
【請求項１】
ビルの屋上緑化範囲のスラブ上に区画用の縁部材を並べて、このスラブ上及び縁部材の起立内側面に防水、防根シートを張設したのち、この防水、防根シート上に貯水部形成用の軽量骨材を敷き、次いでこの軽量骨材の上に透水経路を有する透水板を敷き並べたのち、この透水板の上に土壌を敷き詰めて適宜の植物を植栽したことを特徴とする屋上の緑化工法。
【発明の詳細な説明】
【０００１】
【発明の属する技術分野】
この発明は、既設ビルの屋上を緑化する工法に関する。
【０００２】
【従来の技術及びその課題】
既設ビルの屋上を緑化することによって、断熱効果や、省エネ、ビル寿命の延長、都市洪水防止、ヒートアイランド対策、大気の浄化などの効果があることはすでに知られている。
【０００３】
従来の屋上緑化工法は、屋上の緑化範囲の床面を合成樹脂系やゴム系などの防水材料で防水処理したのち、この防水処理膜上に貯水層、保水層と生育基盤を築造して草本類・木本類を植栽する。
【０００４】
このような方式の屋上緑化工法によると、盛土の土壌厚が確保されていないと植物の安定した固定を図ることができず、小さな丈の草本類・木本類に限定される問題があった。
【０００５】
逆に丈の大きな樹木の安定した固定を図るために土壌厚を確保（大きく）すると、スラブの上載荷重の制限を越えるので、問題が発生する。
【０００６】
しかも良好な保水性がないため散水などの維持管理に要する費用が多大になる。
【０００７】
従って、多くの業者が取り組んでいるのは、土壌を選ばず、自然降雨のみで生育するセダム類を用いた機能重視の緑化になる。
【０００８】
そこで、この発明は、土壌厚を薄くしても植物の根の張りが良好になり、その結果強風による倒木や飛散が防止できて恒久的な植物の安定が図れ、また降雨水などを貯水層と保水層に貯水して給水時間を大幅に延伸することができるようにしたことにある。
【０００９】
【課題を解決するための手段】
上記の課題を解決するために、この発明は、ビルの屋上緑化範囲のスラブ上に区画用の縁部材を並べて、このスラブ上及び縁部材の起立内側面に防水、防根シートを張設したのち、この防水、防根シート上に貯水部形成用の軽量骨材を敷き、次いでこの軽量骨材の上に透水経路を有する透水板を敷き並べたのち、この透水板の上に土壌を敷き詰めて適宜の植物を植栽したことを特徴とする屋上の緑化工法を採用する。
【００１０】
【発明の実施の形態】
この発明の実施の形態を添付図面に基づいて説明する。
【００１１】
この発明の実施形態では、図１から図３に示すように、ビルの屋上緑化範囲のスラブ１上には、区画用の縁部材２が並べてある。
【００１２】
上記の縁部材２としては、スラブ１に荷重による影響を与えない例えば木材や発泡コンクリート製のブロックなどが望ましい。
【００１３】
また、スラブ１上及び縁部材２の起立内側面には、防水、防根シート３が張設してある。
【００１４】
上記の防水、防根シート３としては、既設構造物の防水と貯水層・保水層の形成のために使用するものであるから、耐腐食性にすぐれ、かつ張設作業性にすぐれた合成樹脂製やゴム製のシートが望ましいが、かならずしも限定されず、薄い金属製のシートや板であってもよい。
【００１５】
なお、縁部材２は、区画の周囲全部（全周）に並べる以外にビルの屋上の周壁（起立した立壁）の一部を利用する場合、周壁にも防水、防根シート３を張設する。
【００１６】
さらに、防水、防根シート３上に貯水部形成用の軽量骨材４を敷く。
【００１７】
上記の軽量骨材４としては、図示の場合砂利や発泡コンクリートなどの塊状の破砕材を使用したが、合成樹脂製のパイプを水平にして並べることも考えられる。
【００１８】
そして、軽量骨材４の上に透水経路５を有する透水板６を敷き並べる。
【００１９】
上記の透水板６としては、例えば軽量コンクリート製透水板がある。
【００２０】
この軽量コンクリート製透水板を得るには、図３に示すように粒度を或る程度揃えた砂利やコンクリートなどの破砕骨材７と自硬性接着剤８（例えばセメント）とを混合混練して型枠に流し込む。
【００２１】
すると、各骨材７の接着剤８の接触部分が結合されると共に、接着剤８の非接触部分が透水経路５になる透水板６を得ることができる。
【００２２】
しかして、透水板６の上に土壌９を敷き詰める。
【００２３】
上記の土壌９としては、できるだけ軽量なものが望ましく、そして保水力に富んだもので、かつ成育を助長する肥料などを混入しておくとよい。
【００２４】
例えば、軽量人工土壌が、この土壌９に用いるものとして適している。
【００２５】
そして、土壌９に洋風や和風の庭園としての樹木或いは芝、セダムなどの植物Ａを選択して植裁する。
【００２６】
上記のように屋上を緑化すると、植栽した植物Ａの根系が透水板６の透水経路５に侵入して根が張る。
【００２７】
また、降雨や散水にともなう水は、土壌９から透水板６の透水経路５をへて軽量骨材４内に流入して貯水されると共に、貯溜水は、毛細管作用により透水板６の透水経路５をへて土壌９に向う。
【００２８】
勿論、土壌９からの流下水は、透水板６の透水路５に確保される。
【００２９】
なお、透水板６の使用にともない透水板６に穴（孔）をあけて、或いは金具の固定（図示省略）によって樹木の安定を図る保持支柱の支持ができる。
【００３０】
【発明の効果】
この発明の屋上の緑化工法よると、土壌に植栽した植物の根系が透水板の透水経路に侵入するので、侵入した根が張って強風による倒木や飛散が防止でき、恒久的な植物の安定を図れると共に、土壌厚を厚くする必要もない。
【００３１】
また、降雨や散水にともなう土壌内を流下した水は、透水板の透水経路をへて軽量骨材内に流下すると共に貯水され、貯溜水は、毛細管作用により透水経路をへて土壌に向うので、給水時間を延伸することができるので、散水などの維持管理が容易になると共に、維持管理に要する費用を軽減することもできる。
【００３２】
さらに、屋上の防水補修（スラブ）など何らかの理由で施工した屋上緑化を移動や撤去する場合、緑化基礎工である生育基盤の移動、撤去を簡単に行なうことができる。
【００３３】
また、透水板が生育基盤と保水層となるので、土部の土壌厚を薄くすることができ、かつ貯水部形成の軽量骨材の使用と、重量の軽減になる透水板の使用によって上載荷重の著しい軽減化が図れる。
【図面の簡単な説明】
【図１】この発明の実施形態を示す一部切欠平面図
【図２】同上の縦断正面図
【図３】透水板の横断拡大平面図
【符号の説明】
１　　　スラブ
２　　　縁部材
３　　　防水、防根シート
４　　　軽量骨材
５　　　透水経路
６　　　透水板
７　　　骨材
８　　　自硬性接着剤
９　　　土壌
【図１】
2004129507.tif 000003
【図２】
2004129507.tif 000004
【図３】
2004129507.tif 000005